(57)【要約】【課題】外装箱内における照明器具に対する保護性能の低下を抑えつつ、外装箱に対する照明器具の収容作業及び取出作業を容易とすること。【解決手段】梱包部材１は、照明器具２００とともに外装箱内に収容される。梱包部材１は、板状の本体部１０と、板状の一対の側部２０と、パッド部と、嵌合部４０と、を備える。一対の側部２０は、本体部１０の両側端にそれぞれ設けられている。パッド部は、本体部１０の両側端の間に設けられている。各側部２０は、スリット２５を備える。嵌合部４０は、電源ユニット２２０の筐体２２０Ａの第１端面２２１が第１面と接触しながら筐体２２０Ａと嵌まり合う。パッド部は、枠体２１１と光源との間にある空隙に挿入される。一対の側部２０は、それぞれ光源ユニット２１０側に突出し、各バネ体２１４の先端が対応するスリット２５に挿入される。【選択図】図１
2018034873.tif 000002
【特許請求の範囲】
【請求項１】
照明器具とともに外装箱内に収容される梱包部材であって、
板状の本体部と、板状の一対の側部と、パッド部と、嵌合部と、を備え、
前記一対の側部は、前記本体部の両側端にそれぞれ設けられ、
前記パッド部は、前記本体部の前記両側端の間に設けられ、
前記照明器具は、光源ユニットと、電源ユニットと、前記光源ユニットと前記電源ユニットとを接続するリード線と、を備え、前記光源ユニットは、光源と、前記光源を収納する枠体と、前記枠体から外方へ突出する一対のバネ体と、を備え、
前記本体部は、第１面と、前記第１面とは反対側の第２面とを有し、
前記一対の側部の各々は、スリットを備え、
前記嵌合部は、前記電源ユニットの筐体の端面が前記第１面と接触しながら前記筐体と嵌まり合うように構成され、
前記パッド部は、前記第２面と対向する前記光源ユニット側に突出し、前記枠体と前記光源との間にある空隙に挿入されるように構成され、
前記一対の側部は、それぞれ前記光源ユニット側に突出し、前記一対のバネ体のうち対応するバネ体の先端が前記スリットに挿入されるように構成される
ことを特徴とする梱包部材。
【請求項２】
当該梱包部材は、長尺の１枚の段ボールシートから構成され、
前記一対の側部の各々は、第１折り線を介して前記本体部と連続し、前記第１折り線に沿って折り曲げ可能に構成され、
前記パッド部は、第２折り線を介して前記本体部と連続し、前記第２折り線に沿って折り曲げ可能に構成されている
ことを特徴とする請求項１に記載の梱包部材。
【請求項３】
前記本体部は、前記リード線が前記リード線の径方向に沿って挿入される溝を更に有する
ことを特徴とする請求項１又は２に記載の梱包部材。
【請求項４】
請求項１〜３のいずれか１項に記載の梱包部材と、直方体形状の前記外装箱と、を備え、
前記外装箱は、４つの側壁と、底壁と、を備え、前記底壁と対向する一面が開放可能であり、
前記４つの側壁は、互いに対向する第１及び第２の側壁と、互いに対向する第３及び第４の側壁と、から構成され、
前記照明器具は、前記嵌合部が前記電源ユニットと嵌まり合い、前記パッド部が前記空隙に挿入され、且つ前記対応するバネ体の前記先端が前記スリットに挿入された状態で、前記一面から前記外装箱内に収容され、
前記外装箱は、前記照明器具が収容されたときに、
前記電源ユニットが前記第１の側壁の内面と接触して、前記第１の側壁の前記内面と前記本体部の前記第１面との間で前記電源ユニットの移動を規制し、
前記光源ユニットが前記第２の側壁の内面と接触して、前記第２の側壁の前記内面と前記本体部の前記第２面との間で前記光源ユニットの移動を規制し、
前記光源ユニット側に突出した前記一対の側部が前記第３及び第４の側壁の内面とそれぞれ接触して、前記一対の側部の移動を規制する
ように構成される
ことを特徴とする梱包箱。
【請求項５】
前記梱包部材は、前記本体部及び前記一対の側部が前記外装箱の前記底壁に対して起立する方向に、前記照明器具とともに前記外装箱内に挿入される
ことを特徴とする請求項４に記載の梱包箱。
【請求項６】
前記本体部及び前記一対の側部が前記外装箱の前記底壁に対して起立するように載せ置かれたとき、前記本体部及び前記一対の側部の高さ寸法は、前記外装箱における前記底壁の内面から前記一面までの寸法と同じ、又は前記寸法より小さい
ことを特徴とする請求項４又は５に記載の梱包箱。
【発明の詳細な説明】
【技術分野】
【０００１】
本発明は、一般に梱包部材、及び梱包箱に関し、より詳細には照明器具とともに外装箱内に収容される梱包部材、及びこの梱包部材と外装箱とを備えた梱包箱に関する。
【背景技術】
【０００２】
従来、ランプ及び照明器具本体（照明器具）を梱包するための梱包ユニットが知られている（例えば特許文献１参照）。この特許文献１に記載の梱包ユニットは、梱包箱（外装箱）と、緩衝部材としての梱包用載置プレート（梱包部材）と、を備える。
【０００３】
特許文献１に記載の梱包ユニットでは、照明器具の保管及び運搬の効率が良く、照明器具の梱包作業及び取出し作業が簡単となる。
【先行技術文献】
【特許文献】
【０００４】
【特許文献１】特開２００１−３４５０１３号公報
【発明の概要】
【発明が解決しようとする課題】
【０００５】
ところで、外装箱に収容される照明器具の構成部材の種類数が多い場合、梱包部材の数も多くなる。そして、梱包部材の数が多いと、照明器具を外装箱に収容する作業、及び外装箱から取り出す作業が煩雑になる。しかし、梱包部材の数を単純に減らすと、外装箱内で構成部材同士が接触する可能性が高くなり、破損又は変形の原因になる。
【０００６】
本発明は上記事由に鑑みてなされ、外装箱内における照明器具に対する保護性能の低下を抑えつつ、外装箱に対する照明器具の収容作業及び取出作業を容易とすることができる梱包部材、及び梱包箱を提供することを目的とする。
【課題を解決するための手段】
【０００７】
本発明の一態様に係る梱包部材は、照明器具とともに外装箱内に収容される部材である。当該梱包部材は、板状の本体部と、板状の一対の側部と、パッド部と、嵌合部と、を備える。前記一対の側部は、前記本体部の両側端にそれぞれ設けられている。前記パッド部は、前記本体部の前記両側端の間に設けられている。前記照明器具は、光源ユニットと、電源ユニットと、前記光源ユニットと前記電源ユニットとを接続するリード線と、を備える。前記光源ユニットは、光源と、前記光源を収納する枠体と、前記枠体から外方へ突出する一対のバネ体と、を備える。前記本体部は、第１面と、前記第１面とは反対側の第２面と、を有する。前記一対の側部の各々は、スリットを備える。前記嵌合部は、前記電源ユニットの筐体の端面が前記第１面と接触しながら前記筐体と嵌まり合うように構成される。前記パッド部は、前記第２面と対向する前記光源ユニット側に突出し、前記枠体と前記光源との間にある空隙に挿入されるように構成される。前記一対の側部は、それぞれ前記光源ユニット側に突出し、前記一対のバネ体のうち対応するバネ体の先端が前記スリットに挿入されるように構成される。
【０００８】
本発明の一態様に係る梱包箱は、上記梱包部材と、直方体形状の前記外装箱と、を備える。前記外装箱は、４つの側壁と、底壁と、を備え、前記底壁と対向する一面が開放可能である。前記４つの側壁は、互いに対向する第１及び第２の側壁と、互いに対向する第３及び第４の側壁と、から構成される。前記照明器具は、前記嵌合部が前記電源ユニットと嵌まり合い、前記パッド部が前記空隙に挿入され、且つ前記対応するバネ体の前記先端が前記スリットに挿入された状態で、前記一面から前記外装箱内に収容される。前記外装箱は、前記照明器具が収容されたときに、前記電源ユニットが前記第１の側壁の内面と接触して、前記第１の側壁の前記内面と前記本体部の前記第１面との間で前記電源ユニットの移動を規制するように構成される。また、前記外装箱は、前記照明器具が収容されたときに、前記光源ユニットが前記第２の側壁の内面と接触して、前記第２の側壁の前記内面と前記本体部の前記第２面との間で前記光源ユニットの移動を規制するように構成される。また、前記外装箱は、前記照明器具が収容されたときに、前記光源ユニット側に突出した前記一対の側部が前記第３及び第４の側壁の内面とそれぞれ接触して、前記一対の側部の移動を規制するように構成される。
【発明の効果】
【０００９】
本発明は、外装箱内における照明器具に対する保護性能の低下を抑えつつ、外装箱に対する照明器具の収容作業及び取出作業を容易とすることができる、という利点がある。
【図面の簡単な説明】
【００１０】
【図１】図１は、本発明の一実施形態に係る梱包部材の正面側斜視図であって、梱包部材が照明器具を仮保持した状態を示す図である。
【図２】図２は、同上の梱包部材の背面側斜視図であって、梱包部材が照明器具を仮保持した状態を示す図である。
【図３】図３は、同上の梱包部材の平面図であって、梱包部材の一対の側部及び一対のパッド部が折り曲げられていない状態を示す図である。
【図４】図４は、同上の梱包部材の正面側斜視図であって、梱包部材の一対の側部及び一対のパッド部が折り曲げられた状態を示す図である。
【図５】図５は、図２に図示される照明器具の光源ユニットの斜視図である。
【図６】図６は、本発明の一実施形態に係る梱包箱の斜視図であって、照明器具が外装箱内に収容された状態を示す図である。
【発明を実施するための形態】
【００１１】
（実施形態）
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。また、各図は、模式的な図であり、図１〜６中の各構成要素の大きさや厚さそれぞれの比が、必ずしも実際の寸法比を反映しているとは限らない。
【００１２】
本実施形態の梱包部材１（以下、単に「梱包部材１」という）は、図６に示すように、照明器具２００とともに外装箱５内に収容される部材である。梱包部材１は、図３に示すように、板状の本体部１０と、板状の一対の側部２０Ａ及び２０Ｂと、パッド部３０と、嵌合部４０と、を備える。なお、本実施形態では、梱包部材１は、パッド部３０を２つ（パッド部３０Ａ及び３０Ｂ）備えるが、パッド部３０の数は、１つであってもよい。以下では、側部２０Ａ及び２０Ｂを特に区別しない場合、単に「側部２０」ということもある。また、パッド部３０Ａ及び３０Ｂを特に区別しない場合、単に「パッド部３０」ということもある。
【００１３】
側部２０Ａ及び２０Ｂは、図１〜図４に示すように、本体部１０の両側端にそれぞれ設けられている。パッド部３０は、図３及び図４に示すように、本体部１０の両側端の間に設けられている。
【００１４】
照明器具２００は、図１に示すように、光源ユニット２１０と、電源ユニット２２０と、光源ユニット２１０と電源ユニット２２０とを接続するリード線２３０と、を備える。光源ユニット２１０は、図５に示すように、光源２１２と、光源２１２を収納する枠体２１１と、枠体２１１から外方へ突出する一対のバネ体２１４Ａ及び２１４Ｂと、を備える。以下では、バネ体２１４Ａ及び２１４Ｂを特に区別しない場合、単に「バネ体２１４」ということもある。
【００１５】
本体部１０は、第１面１１（図２参照）と、第１面１１とは反対側の第２面１２（図１及び図３参照）と、を有する。側部２０Ａ及び２０Ｂは、図３に示すように、それぞれ、スリット２５Ａ及び２５Ｂを備える。以下では、スリット２５Ａ及び２５Ｂを特に区別しない場合、単に「スリット２５」ということもある。
【００１６】
嵌合部４０は、電源ユニット２２０の筐体２２０Ａの端面（第１端面２２１、図１参照）が第１面１１と接触しながら筐体２２０Ａと嵌まり合うように構成される。パッド部３０は、第２面１２と対向する光源ユニット２１０側に突出し、枠体２１１と光源２１２との間にある空隙２１３（図５参照）に挿入されるように構成される。側部２０Ａ及び２０Ｂは、それぞれ光源ユニット２１０側に突出し、バネ体２１４Ａ及び２１４Ｂのうち対応するバネ体２１４の先端がスリット２５に挿入されるように構成される。
【００１７】
なお、本実施形態において、梱包部材１は、一例として１枚の段ボールシートにより形成されていることを想定する。ただし、梱包部材１は、複数枚の段ボールシートを組み合わせることで形成されてもよい。例えば、本体部１０、一対の側部２０Ａ及び２０Ｂが、それぞれ異なる段ボールシートから形成され、本体部１０に設けられた突起を各側部２０に設けられた孔に嵌め込むことで梱包部材１が組み立てられてもよい。また、梱包部材１は、板状の緩衝部材として機能するものであれば、段ボールシート以外のシート部材により形成されていてもよい。
【００１８】
本実施形態の梱包箱１００（以下、単に「梱包箱１００」という）は、図６に示すように、梱包部材１と、直方体形状の外装箱５と、を備える。なお、本実施形態では、外装箱５は、一例として段ボール箱により構成されている。
【００１９】
外装箱５は、４つの側壁５５と、底壁５７と、を備え、底壁５７と対向する一面５０（天面）が開放可能である。この４つの側壁５５は、互いに対向する第１及び第２の側壁５５Ａ，５５Ｂと、互いに対向する第３及び第４の側壁５５Ｃ，５５Ｄと、から構成される。照明器具２００は、嵌合部４０が電源ユニット２２０と嵌まり合い、パッド部３０が空隙２１３に挿入され、且つ対応するバネ体２１４の先端がスリット２５に挿入された状態で、一面５０から外装箱５内に収容される。
【００２０】
外装箱５は、照明器具２００が収容されたときに、電源ユニット２２０が第１の側壁５５Ａの内面５１と接触して、内面５１と本体部１０の第１面１１との間で電源ユニット２２０の移動を規制するように構成される。また、外装箱５は、照明器具２００が収容されたときに、光源ユニット２１０が第２の側壁５５Ｂの内面５２と接触して、内面５２と本体部１０の第２面１２との間で光源ユニット２１０の移動を規制するように構成される。また、外装箱５は、照明器具２００が収容されたときに、光源ユニット２１０側に突出した側部２０Ａ及び２０Ｂが第３及び第４の側壁５５Ｃ，５５Ｄの内面５３，５４とそれぞれ接触して、側部２０Ａ及び２０Ｂの移動を規制するように構成される。
【００２１】
なお、以下の説明では、照明器具２００は、例えば、天井に設けられた埋込孔に埋め込み設置されるダウンライトであることを想定する。ただし、照明器具２００は、少なくとも３つの構成部材（光源ユニット２１０、電源ユニット２２０及びリード線２３０）より構成されるものであれば、ダウンライト以外の他の種類の照明器具であってもよい。
【００２２】
また、以下の説明では、図１に示すように、照明器具２００が梱包部材１に組み合わさった状態を、「仮保持状態」とよぶこともある。そして、この仮保持状態において、本体部１０の第２面１２が向く方向を前方向と規定し、本体部１０の第１面１１が向く方向を後方向と規定する。また、図６に示すように、仮保持状態の照明器具２００が、外装箱５に挿入される方向を下方向と規定し、外装箱５から取り出される方向を上方向と規定する。
【００２３】
（２）詳細
（２．１）照明器具
まず、梱包箱１００に梱包される照明器具２００について、図１、図２及び図５を参照しながら詳しく説明する。
【００２４】
照明器具２００は、図１に示すように、光源ユニット２１０と、電源ユニット２２０と、光源ユニット２１０と電源ユニット２２０とを接続するリード線２３０と、を備える。要するに、照明器具２００は、リード線２３０で繋がれた２つの構成部材（光源ユニット２１０及び電源ユニット２２０）より構成される。
【００２５】
光源ユニット２１０は、全体として略円筒形状に形成されている。光源ユニット２１０は、図５に示すように、枠体２１１と、光源２１２と、一対のバネ体２１４と、基体２１６と、固定金具２１７と、アーム２１８と、を備える。
【００２６】
基体２１６は、略八角形状の基板２１６Ａと、基板２１６Ａから枠体２１１に向かって延びる４つの支持片２１６Ｂ（図５では３つのみ図示）と、によって構成されている。基板２１６Ａ及び各支持片２１６Ｂは、例えば亜鉛鋼板によって形成されている。基体２１６は、４つの支持片２１６Ｂを通じて枠体２１１を支持する。
【００２７】
固定金具２１７は、例えば亜鉛鋼板によって基板２１６Ａと略同形に形成され、鋼板からなるアーム２１８を介して光源２１２を支持する。また、固定金具２１７は、４つの支持片２１６Ｂに囲まれた空間内において、基板２１６Ａと対向しながら４つの支持片２１６Ｂに対してスライド移動可能に支持されている。
【００２８】
枠体２１１は、例えばアルミダイカスト等の金属材料によって、両端が開口した円筒形状に形成されている。枠体２１１は、図５に示すように、先端にフランジ２１１Ａを有する。照明器具２００が天井に埋め込み設置されたときに、フランジ２１１Ａの表面は、天井下の照明空間に露出する化粧面となる。
【００２９】
光源２１２は、図５に示すように、一面が開口した円筒形状のケース２１２Ａと、ケース２１２Ａ内に収納された１又は複数の発光素子と、透光性を有したカバー２１２Ｂと、を備える。ケース２１２Ａは、例えばアルミダイカスト等の金属材料によって形成されている。上記発光素子は、例えば、基板上に実装されたＬＥＤ（Light Emitting Diode）からなる。カバー２１２Ｂは、例えばアクリル樹脂材料によりレンズ状に形成され、上記発光素子を覆うように設けられている。
【００３０】
光源２１２は、枠体２１１内において可動に支持されている。具体的には、光源２１２は、枠体２１１内に収納されながら、上述の通りアーム２１８及び固定金具２１７とともに基体２１６の支持片２１６Ｂに対してスライド移動することができる。そのため、光源２１２は、枠体２１１の開口よりも手前に引き出し可能である。また、光源２１２は、光源２１２の光軸方向が枠体２１１の軸心に対して交差するように、アーム２１８を軸に回転可能に構成されている。枠体２１１と光源２１２との間には空隙２１３（図５参照）が設けられていて、ユーザは、空隙２１３に指先を挿入して、光源２１２を手前に引き出して、更に光源２１２を回転させて光軸の角度調整を行うことができる。
【００３１】
バネ体２１４Ａ及び２１４Ｂは、例えば金属板によって帯板状に形成され、枠体２１１から外方へ突出する。具体的には、バネ体２１４Ａ及び２１４Ｂは、枠体２１１から基体２１６側に向かうほど枠体２１１の軸心から離れるように拡がっている。バネ体２１４Ａ及び２１４Ｂは、枠体２１１の軸方向から見たとき、バネ体２１４Ａが枠体２１１に固定されている第１位置と、バネ体２１４Ｂが枠体２１１に固定されている第２位置とを結ぶ直線が枠体２１１の軸心を通るように配置されている。
【００３２】
各バネ体２１４の先端は、略Ｌ字状に折り曲げられている。施工者は、光源ユニット２１０を天井に取り付ける際には、各バネ体２１４を手で内側（枠体２１１の軸心に近づく方向）に撓ませながら、光源ユニット２１０を天井の埋込孔に挿入する。そして、施工者は、各バネ体２１４の撓みを解くことで各バネ体２１４の先端を天井裏側に配置される取付器具に引っ掛ける。要するに、バネ体２１４Ａ及び２１４Ｂは、光源ユニット２１０を天井裏側の取付器具に取り付けるための取付バネである。
【００３３】
電源ユニット２２０は、筐体２２０Ａと、点灯装置と、端子台と、を備える。点灯装置及び端子台は、筐体２２０Ａ内に収納されている。点灯装置は、光源２１２の発光素子を点灯させるための電力を光源２１２に供給するように構成されている。端子台は、外部の電源線が接続される接続面を有し、当該接続面は、筐体２２０Ａの側面側（図２の右側面）から外部に露出する。点灯装置の入力端は、端子台と電源線を通じて外部の交流電源に電気的に接続される。点灯装置の出力端は、絶縁被覆により覆われたリード線２３０の第１端と電気的に接続されている。リード線２３０は、筐体２２０Ａの側面（図２の左側面）に設けられた導出口から導出されて、リード線２３０の第２端が光源２１２の発光素子と電気的に接続されている。
【００３４】
筐体２２０Ａは、例えばアルミダイカスト等の金属材料によって、全体として長尺の略矩形箱状に形成されている。筐体２２０Ａは、図１及び図２に示すように、第１端面２２１（図１参照）側に一対の脚部２２２Ａ及び２２２Ｂを有する。第１端面２２１は、仮保持状態時に梱包部材１と接触する。
【００３５】
脚部２２２Ａ及び２２２Ｂは、Ｌ字片状に形成されている。脚部２２２Ａ及び２２２Ｂは、それぞれ、筐体２２０Ａの底板２２０Ｂ（図１参照）の長手方向における両端に対して折り曲げ加工を施すことで形成されている。なお、以下では、脚部２２２Ａ及び２２２Ｂを特に区別しない場合、単に「脚部２２２」ということもある。
【００３６】
脚部２２２Ａは、図１に示すように、第１端面２２１から離れる方向に延びた起立片２２３Ａと、起立片２２３Ａの先端から更に外側へ突出する固定片２２４Ａとを有する。同様に、脚部２２２Ｂは、第１端面２２１から離れる方向に延びた起立片２２３Ｂと、起立片２２３Ｂの先端から更に外側へ突出する固定片２２４Ｂとを有する。言い換えると、筐体２２０Ａは、起立片２２３Ａ及び２２３Ｂの互いに対向する内面と、第１端面２２１と、によって形成された凹部を有する。
【００３７】
なお、固定片２２４Ａ及び２２４Ｂの各々は、図１及び図２に示すように、厚み方向に貫通する長孔２２５を有している。施工者は、電源ユニット２２０を天井裏に設置する際には、電源ユニット２２０を天井の埋込孔から挿入し、固定片２２４Ａ及び２２４Ｂが天井裏側の設置面と接するように載せ置き、長孔２２５を通じてネジ止めする。電源ユニット２２０が天井裏に設置されたとき、第１端面２２１と反対側の第２端面２２６（図２参照）が天面となる。
【００３８】
（２．２）梱包部材及び梱包箱
以下、梱包部材１及び梱包箱１００について、図１〜図４及び図６を参照しながら詳しく説明する。
【００３９】
梱包部材１は、図３に示すように、例えば１枚の長尺矩形板状の段ボールシートである。梱包部材１は、図３及び図４に示すように、本体部１０と、側部２０Ａ及び２０Ｂと、パッド部３０Ａ及び３０Ｂと、嵌合部４０と、を備える。
【００４０】
本体部１０は、略矩形板状に形成されている。側部２０Ａ及び２０Ｂは、互いに略同形（略矩形板状）で且つ略同寸法を有する。本体部１０は、第１折り線２１Ａを介して側部２０Ａと連続する。同様に、本体部１０は、第１折り線２１Ｂを介して側部２０Ｂと連続する。第１折り線２１Ａ及び２１Ｂは、梱包部材１の長手方向における本体部１０の両側端にそれぞれ設けられている。第１折り線２１Ａ及び２１Ｂは、梱包部材１の短手方向に沿って形成されている。なお、以下では、第１折り線２１Ａ及び２１Ｂを特に区別しない場合、単に「第１折り線２１」ということもある。
【００４１】
つまり、側部２０Ａ、本体部１０及び側部２０Ｂは、梱包部材１の長手方向に沿ってこの順番に並んでいる。第１折り線２１は、例えば、直線状に段を潰す折り線加工を施すことで形成されている。このように形成された側部２０Ａ及び２０Ｂは、本体部１０の両側端においてそれぞれ本体部１０と交差するように、第１折り線２１Ａ及び２１Ｂに沿って折り曲げ可能である。
【００４２】
本体部１０は、第１面１１（図２参照）と、第１面１１とは反対側の第２面１２（図１及び図３〜図４参照）と、を有する。第１面１１は、照明器具２００の梱包時に、電源ユニット２２０の筐体２２０Ａの第１端面２２１と接触する。第２面１２は、照明器具２００の梱包時に、光源ユニット２１０と対向する。
【００４３】
側部２０Ａ及び２０Ｂは、図３及び図４に示すように、それぞれ、厚み方向に貫通するスリット２５Ａ及び２５Ｂを備える。スリット２５Ａ及び２５Ｂは、梱包部材１の長手方向における両端近くであって、梱包部材１の短手方向の略中央に形成されている。スリット２５Ａ及び２５Ｂは、長手方向が梱包部材１の短手方向に沿うように設けられている。照明器具２００の梱包時には、バネ体２１４Ａ及び２１４Ｂの先端がスリット２５Ａ及び２５Ｂにそれぞれ挿入される。
【００４４】
パッド部３０Ａ及び３０Ｂは、本体部１０の両側端の間に配置されている。具体的には、パッド部３０Ａ及び３０Ｂは、図３及び図４に示すように、梱包部材１の中央部において梱包部材１の短手方向に沿って互いに隣接して設けられている。パッド部３０Ａ及び３０Ｂは、互いに略同形（略矩形板状）で且つ略同寸法を有する。また、パッド部３０Ａ及び３０Ｂは、図３に示すように、互いの先端が向かい合うように配置されている。パッド部３０Ａは、第２折り線３１Ａを介して本体部１０と連続する。同様に、パッド部３０Ｂは、第２折り線３１Ｂを介して本体部１０と連続する。第２折り線３１Ａ及び３１Ｂは、梱包部材１の長手方向に沿って形成されている。なお、以下では、第２折り線３１Ａ及び３１Ｂを特に区別しない場合、単に「第２折り線３１」ということもある。
【００４５】
パッド部３０Ａ及び３０Ｂは、梱包部材１の中央部に切り込み加工によってＨ字形状の切り込みを形成し、第２折り線３１Ａ及び３１Ｂに沿ってそれぞれ切り起こすことによって形成される。第２折り線３１Ａは、Ｈ字形状の切り込みの上端２箇所間を結ぶ直線に沿って段を潰す折り線加工を施すことで形成されている。同様に、第２折り線３１Ｂは、Ｈ字状の切り込みの下端２箇所間を結ぶ直線に沿って段を潰す折り線加工を施すことで形成されている。このように形成されたパッド部３０Ａ及び３０Ｂは、本体部１０に対して第２折り線３１Ａ及び３１Ｂに沿ってそれぞれ折り曲げ可能である。
【００４６】
嵌合部４０は、図１〜図４に示すように、本体部１０の一部（上端部）である嵌合片４０Ａと、第１載置部４０Ｂと、第２載置部４０Ｃと、によって構成される。具体的には、図３に示すように、一対の凹部４６及び４７が、梱包部材１の第１折り線２１Ａ及び２１Ｂの上方にそれぞれ切り欠き加工によって平面視略矩形状に形成されることで、本体部１０の一部が、嵌合片４０Ａとして形成される。凹部４６は、本体部１０と側部２０Ａとに跨って形成されている。また、凹部４７は、本体部１０と側部２０Ｂとに跨って形成されている。そして、凹部４６及び４７の底部が、第１載置部４０Ｂ及び第２載置部４０Ｃにそれぞれ相当する。
【００４７】
更に、第２載置部４０Ｃは、図３及び図４に示すように、照明器具２００の梱包時に、リード線２３０を逃がすための溝４５を有している。なお、本実施形態では、第１載置部４０Ｂは、リード線２３０を逃がすための溝を有していないが、第２載置部４０Ｃの溝４５と同様に有していてもよい。
【００４８】
梱包箱１００は、上述した梱包部材１と、直方体形状の外装箱５（図６参照）と、を備える。外装箱５は、一例として段ボール箱により構成されている。
【００４９】
外装箱５は、直方体形状の収容空間を提供するために、矩形板状の底壁５７と、４つの矩形板状の側壁５５と、を備える。各側壁５５は、折り曲げ可能なフラップ５６を上端に有する。外装箱５は、底壁５７と対向する開放可能な一面５０（天面）を有する。なお、４つの側壁５５は、図６に示すように、互いに対向する第１及び第２の側壁５５Ａ，５５Ｂと、互いに対向する第３及び第４の側壁５５Ｃ，５５Ｄと、から構成される。
【００５０】
梱包作業者は、仮保持状態の照明器具２００を外装箱５の収容空間に収容して、４つのフラップ５６で一面５０を塞ぎ、フラップ５６をテープ等で接合することで梱包することができる。照明器具２００は、このように梱包された状態で保管あるいは運搬が可能となる。
【００５１】
外装箱５は、仮保持状態の照明器具２００が収容されたときに、電源ユニット２２０の筐体２２０Ａの第２端面２２６が第１の側壁５５Ａの内面５１と接触して、内面５１と本体部１０の第１面１１（図２参照）との間で電源ユニット２２０の移動を規制する。また、外装箱５は、仮保持状態の照明器具２００が収容されたときに、光源ユニット２１０の基体２１６が第２の側壁５５Ｂの内面５２と接触して、内面５２と本体部１０の第２面１２との間で光源ユニット２１０の移動を規制する。
【００５２】
つまり、内面５１から内面５２までの寸法は、仮保持状態における電源ユニット２２０の筐体２２０Ａの第２端面２２６（図２参照）から基板２１６Ａまでの寸法よりも、仮保持状態を保つ程度に少し大きい。このような構成により、照明器具２００及び電源ユニット２２０は、外装箱５内において容易に位置決めされ得る。
【００５３】
また、外装箱５は、光源ユニット２１０側に折り曲げられた側部２０Ａ及び２０Ｂが、外装箱５内において第３及び第４の側壁５５Ｃ，５５Ｄの内面５３，５４とそれぞれ接触して、側部２０Ａ及び２０Ｂの移動を規制する。つまり、内面５３から内面５４までの寸法は、仮保持状態における側部２０Ａの外面から側部２０Ｂの外面までの寸法よりも、仮保持状態を保つ程度に少し大きい。なお、ここで言う「外面」とは、仮保持状態における側部２０の、光源ユニット２１０と対向する面とは反対側の面を意味する。
【００５４】
側部２０Ａ及び２０Ｂの上記移動とは、仮保持状態における側部２０Ａ及び２０Ｂ間の距離が大きくなるような変位を意味する。本実施形態のように梱包部材１が１枚の段ボールシートから形成される場合、本体部１０に対して約９０度近くの角度を成して折り曲げられた側部２０が元の状態（例えば本体部１０に対して０度〜３０度程度の角度を成した状態）に復帰することに相当する。もし外装箱５内で側部２０が元の状態に復帰してしまうと、照明器具２００のバネ体２１４がスリット２５から外れてしまう。しかし、上記のような構成により、外装箱５内における側部２０の復帰を防ぎ、バネ体２１４がスリット２５に挿入された状態を維持することができる。
【００５５】
なお、本体部１０及び一対の側部２０が外装箱５の底壁５７に対して起立するように載せ置かれたとき、本体部１０及び一対の側部２０の高さ寸法は、外装箱５における底壁５７の内面から一面５０までの寸法と同じ、又は当該寸法より小さい。この構成により、図１に図示される仮保持状態を維持しながら照明器具２００を外装箱５の一面５０から下方へ挿入したときに、梱包部材１の一部が外装箱５の一面５０からはみ出ることなく収容することができる。なお、ここで言う「起立する」とは、板状の本体部１０及び板状の一対の側部２０の厚み方向が、４つの側壁５５のいずれかと交差しながら、本体部１０及び一対の側部２０が底壁５７と接触することを意味する。
【００５６】
以上のように構成された梱包部材１及び梱包箱１００は、外装箱５内における照明器具２００に対する保護性能の低下を抑えつつ、外装箱５に対する照明器具２００の収容作業及び取出作業を容易とすることができる。
【００５７】
（２．３）梱包手順
以下、梱包箱１００で照明器具２００を梱包する手順について詳しく説明する。
【００５８】
梱包作業者（以下、作業者）は、例えばポリシートで光源ユニット２１０の光源２１２及び枠体２１１を正面から覆い、光源ユニット２１０を本体部１０の第２面１２に対向させる。そして、作業者は、一対のパッド部３０を、光源ユニット２１０側に突出するように折り曲げて、上記ポリシートの上から光源２１２と枠体２１１との間の空隙２１３（図５参照）に挿入する。したがって、上記ポリシートが光源２１２を保護した状態を保つことができる。
【００５９】
特に、本実施形態における光源２１２は、枠体２１１に対して可動に構成されている。そのため、照明器具２００の梱包中又は運搬中等に、光源２１２及び枠体２１１同士が衝突を起こして破損（塗装の剥離も含む）又は変形する可能性があった。また、当該衝突により音鳴りが発生する可能性もあった。しかし、上述のようにパッド部３０が光源２１２と枠体２１１との間の空隙２１３を埋めるため、このような破損、変形及び音鳴りを抑制することができる。
【００６０】
続いて、作業者は、側部２０Ａ及び２０Ｂを光源ユニット２１０側に突出するように折り曲げて、一対のバネ体２１４の先端を側部２０Ａ及び２０Ｂのスリット２５にそれぞれ挿入する。なお、作業者は、パッド部３０が空隙２１３に挿入されて、バネ体２１４の先端がスリット２５に挿入された状態を維持するために、例えば片手で光源ユニット２１０の基体２１６等を保持しながら、次の作業に進むのが望ましい。
【００６１】
このようにバネ体２１４の先端をスリット２５に挿入することで、バネ体２１４を保護することができる。また、梱包中又は運搬中等に、バネ体２１４の先端が外装箱５の側壁５５に突き刺さることを抑制することもできる。なお、バネ体２１４は、外方へ拡がらないように例えばナイロン製のバンド等で留めてもよいが、バンドの使用は比較的コスト高になり易い。その点で、スリット２５を備えることでコストを抑えることにも貢献することができる。
【００６２】
次に、作業者は、一方の手で基体２１６等を保持しながら、他方の手でリード線２３０をリード線２３０の径方向に沿って本体部１０の溝４５に挿入する。それから、電源ユニット２２０の筐体２２０Ａの第１端面２２１を本体部１０の第１面１１に対向させて、筐体２２０Ａを嵌合部４０に嵌め合わせる。
【００６３】
具体的には、作業者は、嵌合片４０Ａを、筐体２２０Ａの、起立片２２３Ａ及び２２３Ｂの互いに対向する内面と第１端面２２１とによって形成された凹部に嵌め込む。更に、図２に示すように、電源ユニット２２０の脚部２２２Ａ及び脚部２２２Ｂを、第１載置部４０Ｂ及び第２載置部４０Ｃ上にそれぞれ載せ置く。このとき、脚部２２２Ｂは、リード線２３０が挿入されている溝４５を上から塞ぐことになるため、リード線２３０の位置ズレを抑制することができる。つまり、梱包中又は運搬中等に、リード線２３０が移動して周囲の構成部材に引っ掛かり、破損することを抑制することができる。
【００６４】
以上でもって、照明器具２００は、図１に示すような梱包部材１によって仮保持された状態になる。このように、梱包部材１は、１部材でありながらも、多数の機能を有している。すなわち、パッド部３０によって光源２１２及び枠体２１１を保護する機能、スリット２５によってバネ体２１４を保護する機能、嵌合部４０によって電源ユニット２２０を保持する機能、溝４５によってリード線２３０を保護する機能である。
【００６５】
なお、仮保持状態では、電源ユニット２２０は自重により嵌合部４０から抜け落ちてしまうため、作業者は手で保持した状態を保つことが望ましい。同様に、梱包部材１だけは光源ユニット２１０を支えきれないため、作業者は、光源ユニット２１０を手で保持した状態を保つか、あるいは作業台の上に載せ置くことが望ましい。
【００６６】
続いて、作業者は、仮保持状態を保つために両手でそれぞれ光源ユニット２１０と電源ユニット２２０とを支えながら、図６に示すように、照明器具２００及び梱包部材１を、外装箱５の天面である一面５０から収容空間内に収容する。要するに、照明器具２００を仮保持した梱包部材１は、本体部１０及び一対の側部２０が外装箱５の底壁５７に対して起立する方向に、照明器具２００とともに外装箱５内に挿入される。
【００６７】
もし本体部１０が外装箱５の底壁５７に対して略平行となる状態で梱包部材１が挿入されると、光源ユニット２１０及び電源ユニット２２０のうちの一方が外装箱５の底壁５７側に配置され、他方が外装箱５の天面である一面５０側に配置されることになる。このように収容されると、作業者は、取出作業時に、底壁５７側にある光源ユニット２１０（あるいは電源ユニット２２０）を手で掴むために手を外装箱５の奥まで入れるという煩雑な作業が必要になる。また、仮保持状態を保ったまま照明器具２００を外装箱５から取り出すことが容易ではない。
【００６８】
また、もし側部２０Ａ及び２０Ｂが外装箱５の底壁５７に対して略平行となる状態で梱包部材１が挿入されると、いずれか一方のバネ体２１４が外装箱５の底壁５７側に配置されることになる。このように収容されると、光源ユニット２１０の自重によりバネ体２１４が破損又は変形してしまう可能性がある。
【００６９】
しかし、上述の通り、梱包部材１は、本体部１０及び一対の側部２０が外装箱５の底壁５７に対して起立する方向に、外装箱５内に挿入される。そのため、光源ユニット２１０及び電源ユニット２２０は、いずれも一面５０から露出することになる。したがって、作業者は、取出作業時に光源ユニット２１０及び電源ユニット２２０をいずれも手で容易に保持して仮保持状態を保ったまま照明器具２００を取り出すことができる。また、この場合、側部２０は、その外面が外装箱５の側壁５５と対向するように配置されることになり、バネ体２１４は、光源ユニット２１０の自重を受けない。したがって、外装箱５内におけるバネ体２１４の破損及び変形を抑制することができる。
【００７０】
そして、照明器具２００が外装箱５に収容された状態において、電源ユニット２２０は、第２端面２２６が第１の側壁５５Ａの内面５１と接触して内面５１と本体部１０の第１面１１との間で移動が規制される。また、光源ユニット２１０は、基体２１６が第２の側壁５５Ｂの内面５２と接触して内面５２と本体部１０の第２面１２との間で移動が規制される。要するに、作業者は、梱包部材１及び外装箱５を通じて、外装箱５内における電源ユニット２２０及び光源ユニット２１０の位置決めを容易に行うことができる。
【００７１】
また、光源ユニット２１０側に折り曲げられた側部２０Ａ及び２０Ｂが、外装箱５内において第３及び第４の側壁５５Ｃ，５５Ｄの内面５３，５４とそれぞれ接触して移動が規制される。そのため、バネ体２１４がスリット２５に挿入された状態を維持することができる。
【００７２】
（３）利点
以上説明したように、第１の態様に係る梱包部材１は、照明器具２００とともに外装箱５内に収容される部材である。梱包部材１は、板状の本体部１０と、板状の一対の側部２０と、パッド部３０と、嵌合部４０と、を備える。一対の側部２０は、本体部１０の両側端にそれぞれ設けられている。また、パッド部３０は、本体部１０の両側端の間に設けられている。
【００７３】
照明器具２００は、光源ユニット２１０と、電源ユニット２２０と、光源ユニット２１０と電源ユニット２２０とを接続するリード線２３０と、を備える。光源ユニット２１０は、光源２１２と、光源２１２を収納する枠体２１１と、枠体２１１から外方へ突出する一対のバネ体２１４と、を備える。
【００７４】
本体部１０は、第１面１１と、第１面１１とは反対側の第２面１２と、を有する。一対の側部２０の各々は、スリット２５を備える。嵌合部４０は、電源ユニット２２０の筐体２２０Ａの端面（第１端面２２１）が第１面１１と接触しながら筐体２２０Ａと嵌まり合うように構成される。パッド部３０は、第２面１２と対向する光源ユニット２１０側に突出し、枠体２１１と光源２１２との間にある空隙２１３に挿入されるように構成される。一対の側部２０は、それぞれ光源ユニット２１０側に突出し、一対のバネ体２１４のうち対応するバネ体２１４の先端がスリット２５に挿入されるように構成される。
【００７５】
この構成によれば、外装箱５内における照明器具２００に対する保護性能の低下を抑えつつ、外装箱５に対する照明器具２００の収容作業及び取出作業を容易とすることができる。
【００７６】
第２の態様に係る梱包部材１は、第１の態様において、長尺の１枚の段ボールシートから構成されることが好ましい。一対の側部２０の各々は、第１折り線２１を介して本体部１０と連続し、第１折り線２１に沿って折り曲げ可能に構成されることが好ましい。また、パッド部３０は、第２折り線３１を介して本体部１０と連続し、第２折り線３１に沿って折り曲げ可能に構成されることが好ましい。
【００７７】
この構成によれば、例えば本体部１０、側部２０及びパッド部３０がそれぞれ異なる複数の段ボールシートから形成され、当該複数の段ボールシートを互いに組み合わせることで１つの梱包部材１を提供する場合に比べて、コストを抑えることができる。
【００７８】
第３の態様に係る梱包部材１に関して、第１の態様又は第２の態様において、本体部１０は、リード線２３０がリード線２３０の径方向に沿って挿入される溝４５を更に有することが好ましい。
【００７９】
この構成によれば、リード線２３０の位置ズレを抑制することができる。そのため、リード線２３０が移動して周囲の構成部材に引っ掛かり、破損することを抑制することができる。
【００８０】
また、第４の態様に係る梱包箱１００は、第１〜第３の態様のいずれかの梱包部材１と、直方体形状の外装箱５と、を備える。外装箱５は、４つの側壁５５と、底壁５７と、を備え、底壁５７と対向する一面５０（天面）が開放可能である。上記４つの側壁５５は、互いに対向する第１及び第２の側壁５５Ａ，５５Ｂと、互いに対向する第３及び第４の側壁５５Ｃ，５５Ｄと、から構成される。
【００８１】
照明器具２００は、嵌合部４０が電源ユニット２２０と嵌まり合い、パッド部３０が空隙２１３に挿入され、且つ対応するバネ体２１４の先端がスリット２５に挿入された状態で、一面５０から外装箱５内に収容される。
【００８２】
外装箱５は、照明器具２００が収容されたときに、電源ユニット２２０が第１の側壁５５Ａの内面５１と接触して、第１の側壁５５Ａの内面５１と本体部１０の第１面１１との間で電源ユニット２２０の移動を規制するように構成される。また、外装箱５は、照明器具２００が収容されたときに、光源ユニット２１０が第２の側壁５５Ｂの内面５２と接触して、第２の側壁５５Ｂの内面５２と本体部１０の第２面１２との間で光源ユニット２１０の移動を規制するように構成される。また、外装箱５は、照明器具２００が収容されたときに、光源ユニット２１０側に突出した側部２０Ａ及び２０Ｂが第３及び第４の側壁５５Ｃ，５５Ｄの内面５３，５４とそれぞれ接触して、側部２０Ａ及び２０Ｂの移動を規制するように構成される。
【００８３】
この構成によれば、外装箱５内における照明器具２００に対する保護性能の低下を抑えつつ、外装箱５に対する梱包部材１及び照明器具２００の収容作業及び取出作業を容易とすることができる。
【００８４】
第５の態様に係る梱包箱１００に関して、第４の態様において、梱包部材１は、本体部１０及び一対の側部２０が外装箱５の底壁５７に対して起立する方向に、照明器具２００とともに外装箱５内に挿入されることが好ましい。
【００８５】
この構成によれば、外装箱５に対する梱包部材１及び照明器具２００の収容作業及び取出作業を容易とすることができ、また、外装箱５内におけるバネ体２１４の破損及び変形を抑制することができる。
【００８６】
第６の態様に係る梱包箱１００に関して、第４の態様又は第５の態様において、本体部１０及び一対の側部２０が外装箱５の底壁５７に対して起立するように載せ置かれたとき、本体部１０及び一対の側部２０の高さ寸法は、外装箱５における底壁５７の内面から一面５０までの寸法と同じ、又は当該寸法より小さいことが好ましい。
【００８７】
この構成によれば、梱包部材１の一部が外装箱５の一面５０からはみ出ることなく収容することができる。
【符号の説明】
【００８８】
１  梱包部材
５  外装箱
１０  本体部
１１  第１面
１２  第２面
２０  側部
２１  第１折り線
２５  スリット
３０  パッド部
３１  第２折り線
４０  嵌合部
４５  溝
５０  一面
５１  （第１の側壁の）内面
５２  （第２の側壁の）内面
５３  （第３の側壁の）内面
５４  （第４の側壁の）内面
５５  側壁
５５Ａ〜５５Ｄ  第１〜第４の側壁
５７  底壁
１００  梱包箱
２００  照明器具
２１０  光源ユニット
２１１  枠体
２１２  光源
２１３  空隙
２１４  バネ体
２２０  電源ユニット
２２０Ａ  筐体
２２１  第１端面（端面）
２３０  リード線
【図１】
2018034873.tif 000003
【図２】
2018034873.tif 000004
【図３】
2018034873.tif 000005
【図４】
2018034873.tif 000006
【図５】
2018034873.tif 000007
【図６】
2018034873.tif 000008